(57)【特許請求の範囲】
【請求項１】
フィーダを囲む矩形座標を持ち、当該矩形と表示領域の矩形をチェックし重なるフィーダを検索して大雑把に設備を特定した後、その各所属設備について表示領域に重なるものを詳細に検索して表示する配電線路図表示装置において、
区間を囲む矩形座標を持ち、表示領域に重なるフィーダについて、さらにその所属区間の矩形と表示領域の矩形をチェックし表示領域に完全に含まれる区間と領域の境界にまたがる区間を分けて抽出し、前者の区間の所属設備はすべてノーチェックで表示対象とし、後者の区間の所属設備のみ詳細な検索対象とすることにより効率的で高速な表示を行うことを特徴とする配電線路図高速表示方式。
【発明の詳細な説明】
【０００１】
【発明の属する技術分野】
この発明は、配電線路図の高速表示方式に関するものである。
【０００２】
【従来の技術】
表示装置を用いて表示画面に表示する配電線路図には配電設備の図形と名称を街路図に対応させて表示する。その際、表示中心と縮尺を指定されると、線路図上の表示対象領域を特定し、それに含まれる設備図形を検索して配電線路図に表示する。
【０００３】
各設備または各設備のベースとなる基底設備には地図上の座標を持っており、前記の表示対象領域を特定する際、対象領域に含まれる座標の設備を検索することにより行う。
【０００４】
しかし、配電設備の数は膨大であり、全設備を検索するのは非常に時間がかかり、実用的でない。そこで、図４に示すようにフィーダ（配電線）単位で、それらを囲む矩形の座標を保持し、最初に表示領域１に重なる矩形を検索して、大雑把に対象のフィーダＡ，Ｂを特定する。続いて、それに所属する各設備の座標で詳細な検索を行う。これにより実用的な時間で配電線路図を表示装置の画面に表示している。
【０００５】
【発明が解決しようとする課題】
上記従来の配電線路図表示装置は、縮尺倍率を大きくしていくと図５に示すように、表示領域が広がり、完全に表示領域１に含まれるフィーダが多くなる。また、市街地ではフィーダの範囲が狭く、倍率がそれほど大きくなくても表示領域に含まれるフィーダが多い場合がある。
【０００６】
また、縮尺倍率を小さくしていくと図６に示すように、表示領域１に僅かに重なるフィーダが多くなってくる。また、郊外では１本１本のフィーダが長く広域を占め、縮尺が小さくなくても表示領域１には僅かに重なるだけのものが多い。これらについても当該フィーダの所属設備はすべて詳細な検索となるので効率が悪い。
【０００７】
この発明は、上記課題に鑑みてなされたものであり、その目的とするところは、指定した表示領域のフィーダ及びその付属設備を効率的かつ高速に表示しうる配電線路図高速表示方式を提供することにある。
【０００８】
【課題を解決するための手段】
この発明は、フィーダを囲む矩形座標を持ち、当該矩形と表示領域の矩形をチェックし重なるフィーダを検索して大雑把に設備を特定した後、その各所属設備について表示領域に重なるものを詳細に検索して表示する配電線路図表示装置において、区間を囲む矩形座標を持ち、表示領域の境界にまたがるフィーダについて、その所属区間の矩形と表示領域の矩形をチェックし表示領域に完全に含まれる区間と表示領域の境界にまたがる区間を分けて抽出し、前者の区間はその所属設備をすべてノーチェックで表示対象とし、後者の区間の所属設備のみ詳細な検索対象とすることにより効率的で高速な表示を行うことを特徴とする。
【００１０】
【発明の実施の形態】
実施の形態１
図１に実施の形態１にかかる低倍率時または郊外の配電線路図高速表示方式を示す。１は表示領域の指定を受けた配電線路図上の表示領域で、この領域１にはフィーダＢを囲む矩形座標と、フィーダＡを囲む矩形座標の一部が入っている。
【００１１】
２は上記指定された表示領域１内に含まれるフィーダを抽出するフィーダ検索処理部で、表示領域１内に完全に含まれるフィーダＢの抽出、および表示領域１に跨がるフィーダで一部が表示領域１外にはみ出るフィーダＡを抽出する。
【００１２】
３は上記抽出された表示領域１に完全に含まれているフィーダＢについての所属設備は詳細な検索対象にせず即表示対象とする処理をする処理部である。
【００１３】
５は上記抽出したフィーダＡのうちの表示対象領域１内に含まれている部分の設備の詳細を検索する設備検索処理部である。
【００１４】
６は表示処理部で、上記処理部３及び５からの設備を受けて表示処理を行い表示画面７に指定した配電線路及びその所属設備を表示させる。
【００１５】
上記配電線路図高速表示方式の処理フロー図を図２に示す。
【００１６】
上記実施の形態１では、表示領域１に含まれるフィーダＢの所属設備については検索処理を行うことなく即表示対象とするので、効率的であり高速に配電線路図を表示することができる。
【００１７】
実施の形態２
図３に実施の形態２にかかる高倍率時または市街地の配電線路高速表示方式を示す。１は表示領域の指定を受けた配電線路図上の表示領域で、この領域１にはフィーダＡを囲む矩形座標の一部が入っている。なお、図中、Ｓは区分開閉器を示す。
【００１８】
２はフィーダ検索処理部で、表示領域１に重なるフィーダを抽出する。４は区間検索処理部で、表示領域１に完全に含まれる区間１と境界にまたがる区間２を特定し抽出する。５は設備検索処理部で、上記抽出した表示領域の境界にまたがる区間２のみの当該所属設備を詳細な検索対象として検索する。８は所属設備を取り出し即表示対象とする処理部で上記表示領域の境界にまたがる区間１のみの当該所属設備を詳細な検索対象として検索する。６は表示処理部で、上記設備検索処理部５と所属設備を取り出し即表示対象とする処理部８から出力した設備を表示処理して表示領域１の配電線路図を表示装置の画面に表示させる。
【００１９】
上記実施の形態２では、各区間に所属設備を囲む矩形座標を持ち、表示領域１に跨がるフィーダＡの所属区間を検索し、表示領域に跨がる区間を特定した後、その所属設備についてのみ詳細な検索処理を行うため、表示領域に完全に含まれない区間については全く検索対象にされないので効率的であり、表示領域の配電線路図を高速に表示できる。
【００２０】
【発明の効果】
この発明は、上述のとおり構成されているので、以下に記載する効果を奏する。
【００２２】
請求項１の発明は、表示領域に跨がるフィーダの所属区間を検索し、表示領域に完全に含まれる区間については詳細な検索を行うことなく、即表示対象とするので効率的であり、低倍率時または郊外の配電線路図の高速表示ができる。
【図面の簡単な説明】
【図１】実施の形態１にかかる配電線路図の高速表示方式説明図。
【図２】実施の形態１の処理フロー図。
【図３】実施の形態２にかかる配電線路図の高速表示方式説明図。
【図４】従来例にかかる表示対象検査方式説明図。
【図５】従来例にかかる表示領域とフィーダの関係説明図。
【図６】他の従来例にかかる表示領域とフィーダの関係説明図。
【符号の説明】
１…指定された配電線路図上の表示対象領域（表示領域，対象領域）
２…フィーダ検索処理部
３…所属設備を取り出し、即表示対象とする処理部
４…区間検査処理部
５…設備検索処理部
６…表示処理部
７…表示画面
８…所属の設備を取り出し即表示対象とする処理部
Ａ〜Ｄ…フィーダ
【図１】
0003820775.tif 000002
【図２】
0003820775.tif 000003
【図３】
0003820775.tif 000004
【図４】
0003820775.tif 000005
【図５】
0003820775.tif 000006
【図６】
0003820775.tif 000007